(57)【要約】【課題】シェアハウスまたはシェアルームに同居する候補者を特定するためのコンピュータシステムを提供すること。【解決手段】コンピュータシステム２００は、プロセッサ部２０３を含む。プロセッサ部２０３は、第１の入居希望者からの同居に関する第１の条件を受信すること（ステップＳ４０１）と、第２の入居希望者からの同居に関する第２の条件を受信すること（ステップＳ４０２）と、第１の条件と第２の条件とに基づいて、第１の入居希望者と第２の入居希望者とを候補者として特定するか否かを決定すること（ステップＳ４０３〜Ｓ４０６）とを少なくとも実行するように構成されている。【選択図】図４
2018013835.tif 000002
【特許請求の範囲】
【請求項１】
シェアハウスまたはシェアルームに同居する候補者を特定するためのコンピュータシステムであって、前記コンピュータシステムは、プロセッサ部を含み、
前記プロセッサ部は、
第１の入居希望者からの同居に関する第１の条件を受信することと、
第２の入居希望者からの同居に関する第２の条件を受信することと、
前記第１の条件と前記第２の条件とに基づいて、前記第１の入居希望者と前記第２の入居希望者とを前記候補者として特定するか否かを決定することと
を少なくとも実行するように構成されている、コンピュータシステム。
【請求項２】
前記第１の条件は、前記第１の入居希望者が同居の相手方から受けることを希望する第１の希望サービスを含み、前記第２の条件は、前記第２の入居希望者が同居の相手方に提供することが可能な第２の提供サービスを含み、
前記プロセッサ部は、
前記第１の希望サービスと前記第２の提供サービスとを比較すること
をさらに実行するように構成されており、
前記プロセッサ部は、前記第１の希望サービスと前記第２の提供サービスとの比較結果に基づいて、前記第１の入居希望者と前記第２の入居希望者とを前記候補者として特定するか否かを決定する、請求項１に記載のコンピュータシステム。
【請求項３】
前記第１の条件は、前記第１の入居希望者が同居の相手方に提供することが可能な第１の提供サービスをさらに含み、
前記第２の条件は、前記第２の入居希望者が同居の相手方から受けることを希望する第２の希望サービスをさらに含み、
前記プロセッサ部は、
前記第２の希望サービスと前記第１の提供サービスとを比較すること
をさらに実行するように構成されており、
前記プロセッサ部は、
前記第１の希望サービスと前記第２の提供サービスとの比較結果と、前記第２の希望サービスと前記第１の提供サービスとの比較結果とに基づいて、前記第１の入居希望者と前記第２の入居希望者とを前記候補者として特定するか否かを決定する、請求項２に記載のコンピュータシステム。
【請求項４】
前記第２の希望サービスは、前記第１の希望サービスとは異なる、請求項３に記載のコンピュータシステム。
【請求項５】
前記第１の希望サービスは、前記第１の入居希望者が第１の希望主題を習得することを同居の相手方に支援してもらうことであり、
前記第２の提供サービスは、同居の相手方が第２の提供主題を習得することを前記第２の入居希望者が支援することである、請求項２に記載のコンピュータシステム。
【請求項６】
前記第１の希望サービスは、前記第１の入居希望者が第１の希望主題を習得することを同居の相手方に支援してもらうことであり、前記第１の提供サービスは、同居の相手方が第１の提供主題を習得することを前記第１の入居希望者が支援することであり、
前記第２の希望サービスは、前記第２の入居希望者が第２の希望主題を習得することを同居の相手方に支援してもらうことであり、前記第２の提供サービスは、同居の相手方が第２の提供主題を習得することを前記第２の入居希望者が支援することである、請求項３に記載のコンピュータシステム。
【請求項７】
前記第１の希望主題は、前記シェアハウスまたは前記シェアルームが所在する国以外の国の言語である、請求項５に記載のコンピュータシステム。
【請求項８】
前記第１の希望主題は、前記シェアハウスまたは前記シェアルームが所在する国以外の国の言語であり、
前記第２の希望主題は、前記シェアハウスまたは前記シェアルームが所在する国の文化である、請求項６に記載のコンピュータシステム。
【請求項９】
前記第１の入居希望者は、前記シェアハウスまたは前記シェアルームが所在する国の国籍を有し、
前記第２の入居希望者は、前記シェアハウスまたは前記シェアルームが所在する国以外の国の国籍を有する、請求項１〜８のいずれか一項に記載のコンピュータシステム。
【請求項１０】
シェアハウスまたはシェアルームに同居する候補者を特定するためのコンピュータシステムにおいて実行される方法であって、
前記コンピュータシステムは、プロセッサ部を含み、
前記方法は、
前記プロセッサ部が、第１の入居希望者からの同居に関する第１の条件を受信することと、
前記プロセッサ部が、第２の入居希望者からの同居に関する第２の条件を受信することと、
前記プロセッサ部が、前記第１の条件と前記第２の条件とに基づいて、前記第１の入居希望者と前記第２の入居希望者とを前記候補者として特定するか否かを決定することと
を含む、方法。
【請求項１１】
シェアハウスまたはシェアルームに同居する候補者を特定するためのコンピュータシステムにおいて実行されるプログラムであって、
前記コンピュータシステムは、プロセッサ部を含み、
前記プログラムは、前記プロセッサ部によって実行されると、
第１の入居希望者からの同居に関する第１の条件を受信することと、
第２の入居希望者からの同居に関する第２の条件を受信することと、
前記第１の条件と前記第２の条件とに基づいて、前記第１の入居希望者と前記第２の入居希望者とを前記候補者として特定するか否かを決定することと
を前記プロセッサ部に行わせる、プログラム。
【発明の詳細な説明】
【技術分野】
【０００１】
本発明は、シェアハウスまたはシェアルームに同居する候補者を特定するためのコンピュータシステム、そのコンピュータシステムにおいて実行される方法およびプログラムに関する。
【背景技術】
【０００２】
従来から、ユーザがシェアハウスまたはシェアルームに入居することを斡旋するためのサービスが知られている（例えば、非特許文献１を参照）。
【先行技術文献】
【非特許文献】
【０００３】
【非特許文献１】株式会社ボーダレス・ジャパン、“外国人と一緒にくらす国際交流シェアハウス  日本にいながら国内留学を体験しよう！”、［online］、株式会社ボーダレス・ジャパン、［平成２８年７月６日］、インターネット<URL: http://www.borderless-house.jp/jp/>
【発明の概要】
【発明が解決しようとする課題】
【０００４】
しかしながら、ユーザがシェアハウスに入居することを希望する場合において、ユーザがシェアハウスに入居する前にユーザが提示することが可能な項目は、せいぜい、ユーザ自身の性別、ユーザ自身の国籍、ユーザが入居することになるシェアハウスに関する要望（例えば、部屋の間取りなど）に限定されていた。
【０００５】
本発明は、シェアハウスまたはシェアルームに同居する候補者を特定するためのコンピュータシステム、そのコンピュータシステムにおいて実行される方法およびプログラムを提供することを目的とする。
【課題を解決するための手段】
【０００６】
本発明の１つの局面において、本発明のコンピュータシステムは、シェアハウスまたはシェアルームに同居する候補者を特定するためのコンピュータシステムであって、前記コンピュータシステムは、プロセッサ部を含み、前記プロセッサ部は、第１の入居希望者からの同居に関する第１の条件を受信することと、第２の入居希望者からの同居に関する第２の条件を受信することと、前記第１の条件と前記第２の条件とに基づいて、前記第１の入居希望者と前記第２の入居希望者とを前記候補者として特定するか否かを決定することとを少なくとも実行するように構成されている。
【０００７】
本発明の１つの実施形態では、前記第１の条件は、前記第１の入居希望者が同居の相手方から受けることを希望する第１の希望サービスを含み、前記第２の条件は、前記第２の入居希望者が同居の相手方に提供することが可能な第２の提供サービスを含み、前記プロセッサ部は、前記第１の希望サービスと前記第２の提供サービスとを比較することをさらに実行するように構成されており、前記プロセッサ部は、前記第１の希望サービスと前記第２の提供サービスとの比較結果に基づいて、前記第１の入居希望者と前記第２の入居希望者とを前記候補者として特定するか否かを決定してもよい。
【０００８】
本発明の１つの実施形態では、前記第１の条件は、前記第１の入居希望者が同居の相手方に提供することが可能な第１の提供サービスをさらに含み、前記第２の条件は、前記第２の入居希望者が同居の相手方から受けることを希望する第２の希望サービスをさらに含み、前記プロセッサ部は、前記第２の希望サービスと前記第１の提供サービスとを比較することをさらに実行するように構成されており、前記プロセッサ部は、前記第１の希望サービスと前記第２の提供サービスとの比較結果と、前記第２の希望サービスと前記第１の提供サービスとの比較結果とに基づいて、前記第１の入居希望者と前記第２の入居希望者とを前記候補者として特定するか否かを決定してもよい。
【０００９】
本発明の１つの実施形態では、前記第２の希望サービスは、前記第１の希望サービスとは異なっていてもよい。
【００１０】
本発明の１つの実施形態では、前記第１の希望サービスは、前記第１の入居希望者が第１の希望主題を習得することを同居の相手方に支援してもらうことであり、前記第２の提供サービスは、同居の相手方が第２の提供主題を習得することを前記第２の入居希望者が支援することであってもよい。
【００１１】
本発明の１つの実施形態では、前記第１の希望サービスは、前記第１の入居希望者が第１の希望主題を習得することを同居の相手方に支援してもらうことであり、前記第１の提供サービスは、同居の相手方が第１の提供主題を習得することを前記第１の入居希望者が支援することであり、前記第２の希望サービスは、前記第２の入居希望者が第２の希望主題を習得することを同居の相手方に支援してもらうことであり、前記第２の提供サービスは、同居の相手方が第２の提供主題を習得することを前記第２の入居希望者が支援することであってもよい。
【００１２】
本発明の１つの実施形態では、前記第１の希望主題は、前記シェアハウスまたは前記シェアルームが所在する国以外の国の言語であってもよい。
【００１３】
本発明の１つの実施形態では、前記第１の希望主題は、前記シェアハウスまたは前記シェアルームが所在する国以外の国の言語であり、前記第２の希望主題は、前記シェアハウスまたは前記シェアルームが所在する国の文化であってもよい。
【００１４】
本発明の１つの実施形態では、前記第１の入居希望者は、前記シェアハウスまたは前記シェアルームが所在する国の国籍を有し、前記第２の入居希望者は、前記シェアハウスまたは前記シェアルームが所在する国以外の国の国籍を有していてもよい。
【００１５】
本発明の１つの局面において、本発明の方法は、シェアハウスまたはシェアルームに同居する候補者を特定するためのコンピュータシステムにおいて実行される方法であって、前記コンピュータシステムは、プロセッサ部を含み、前記方法は、前記プロセッサ部が、第１の入居希望者からの同居に関する第１の条件を受信することと、前記プロセッサ部が、第２の入居希望者からの同居に関する第２の条件を受信することと、前記プロセッサ部が、前記第１の条件と前記第２の条件とに基づいて、前記第１の入居希望者と前記第２の入居希望者とを前記候補者として特定するか否かを決定することとを含む。
【００１６】
本発明の１つの局面において、本発明のプログラムは、シェアハウスまたはシェアルームに同居する候補者を特定するためのコンピュータシステムにおいて実行されるプログラムであって、前記コンピュータシステムは、プロセッサ部を含み、前記プログラムは、前記プロセッサ部によって実行されると、第１の入居希望者からの同居に関する第１の条件を受信することと、第２の入居希望者からの同居に関する第２の条件を受信することと、前記第１の条件と前記第２の条件とに基づいて、前記第１の入居希望者と前記第２の入居希望者とを前記候補者として特定するか否かを決定することとを前記プロセッサ部に行わせる。
【発明の効果】
【００１７】
本発明によれば、シェアハウスまたはシェアルームに同居する候補者を特定するためのコンピュータシステム、そのコンピュータシステムにおいて実行される方法およびプログラムを提供することが可能である。
【図面の簡単な説明】
【００１８】
【図１】シェアハウスまたはシェアルームに同居する候補者を特定するための新しいビジネスモデルの一例を説明するための図
【図２】新しいビジネスモデルを実現するためのコンピュータシステム２００の構成の一例を示す図
【図３Ａ】データベース部２０４に格納されているデータの構成の一例を示す図
【図３Ｂ】入居希望者からの同居に関する条件に含まれる「希望サービス」と「提供サービス」との比較を説明するための図
【図４】コンピュータシステム２００において実行される処理のフローの一例を示す図
【発明を実施するための形態】
【００１９】
以下、本願明細書において用いられる用語の定義を説明する。
・「シェアハウス」とは、複数の居住者によって居住されることが可能な住宅であって、複数の部屋を有する住宅をいう。複数の部屋のそれぞれは、一人部屋であるか相部屋であるかは問わない。複数の部屋の少なくとも１つは、複数の居住者が共通に利用することが可能な部屋（例えば、食堂、談話室、ジムなど）であってもよい。ここで、住宅の形態は問わないものとする。例えば、「シェアハウス」は、アパートやマンションのような集合住宅であってもよいし、一戸建てのような住宅であってもよい。同一の住宅（例えば、シェアハウス）に居住することを同居するともいう。
・「シェアルーム」とは、複数の居住者によって居住されることが可能な部屋をいう。この部屋は、「シェアハウス」の複数の部屋のうちの１つであってもよいし、「シェアハウス」ではない一般のアパートやマンションのような集合住宅の複数の部屋のうちの１つであってもよいし、「シェアハウス」ではない一般の一戸建てのような住宅の複数の部屋のうちの１つであってもよい。同一の部屋（例えば、シェアルーム）に居住することを同居するともいう。
・「国の文化」とは、その国を構成する人々によって習得、共有、伝達される行動様式および生活様式の総体をいう。「国の文化」には、例えば、国の歴史、地理、宗教、倫理、道徳などが含まれる。さらに、「国の文化」には、例えば、国を構成する人々の風習や習慣、国を構成する人々によって好まれる芸術（美術、音楽、演劇など）、スポーツ（野球、サッカー、相撲など）、娯楽（アニメ、ゲーム、映画など）、飲食物（主食、副食など）などが含まれる。
【００２０】
以下、図面を参照しながら、本発明の実施形態を説明する。
【００２１】
１．シェアハウスまたはシェアルームに同居する候補者を特定するための新しいビジネスモデル
出願人は、シェアハウスまたはシェアルームに同居する候補者を特定するための新しいビジネスモデルを提案する。この新しいビジネスモデルは、シェアハウスまたはシェアルームに入居することを希望する複数の入居希望者のそれぞれが、シェアハウスまたはシェアルームでの同居に関する条件を提示することによって、その条件の少なくとも一部を満たす入居希望者をシェアハウスまたはシェアルームに同居する候補者として特定するものである。ここで、シェアハウスまたはシェアルームでの同居に関する条件は、任意の条件であり得るが、入居希望者が同居の相手方から受けることを希望する特定のサービス、または、入居希望者が同居の相手方に提供することが可能な特定のサービスを含むことが好ましい。例えば、シェアハウスまたはシェアルームが日本に所在する場合において、日本人である入居希望者Ａが、英語の習得を同居の米国人に支援してもらうことを希望しており、かつ、米国人である入居希望者Ｂが、日本の伝統文化（例えば、歌舞伎）の習得を同居の日本人に支援してもらうことを希望しているものと仮定する。この場合、入居希望者Ａが、入居希望者Ｂの希望をかなえることを支援する能力を有し（例えば、入居希望者Ａは、日本の伝統文化（例えば、歌舞伎）に精通している）、かつ、入居希望者Ｂが、入居希望者Ａの希望をかなえることを支援する能力を有する（例えば、入居希望者Ｂは、英語を母国語としている）場合には、入居希望者Ａと入居希望者Ｂとを同じシェアハウスまたは同じシェアルームに同居する候補者として特定することにより、入居希望者Ａおよび入居希望者Ｂの双方のシェアハウスまたはシェアルームでの同居に関する希望をかなえることが可能である。
【００２２】
このような入居希望者Ａおよび入居希望者Ｂのマッチングは有用であるといえる。なぜなら、入居希望者Ａおよび入居希望者Ｂは、シェアハウスまたはシェアルームでの同居に関する条件を満たすようにマッチングされることが可能であるからである。
【００２３】
さらに、シェアハウスまたはシェアルームでの同居に関する条件が、入居希望者が同居の相手方から受けることを希望する特定のサービス、または、入居希望者が同居の相手方に提供することが可能な特定のサービスを含む場合には、入居希望者Ａおよび入居希望者Ｂのマッチングはさらに有用であるといえる。なぜなら、このようなマッチングによって、入居希望者Ａおよび入居希望者Ｂの双方が、単にシェアハウスまたはシェアルームという住まいの提供を受けるばかりでなく、同居の相手方から自身が希望するサービス（例えば、同居の米国人からの英語の習得、同居の日本人からの歌舞伎の習得）を受けることが可能であるからである。本発明のビジネスモデルに基づくシェアハウスまたはシェアルームは、”学び”、”習得”というキーワードで表現される付加価値を提供するものであるといえる。本発明のビジネスモデルに基づくシェアハウスまたはシェアルームは、従来のシェアハウスまたはシェアルームに比較して高い付加価値を提供するものであるから、従来のシェアハウスまたはシェアルームに比較して高い賃貸料を設定することも可能である。
【００２４】
なお、シェアハウスまたはシェアルームに同居する候補者を特定する際に、シェアハウスまたはシェアルームを先に特定した後で、その特定されたシェアハウスまたはシェアルームに同居する候補者を特定するか、同居する候補者を先に特定した後でその候補者が同居するシェアハウスまたはシェアルームを特定するか、その順番は問わないものとする。例えば、入居希望者Ａが入居を希望するシェアハウスまたはシェアルームを先に特定した後で、そのシェアハウスまたはシェアルームに入居を希望する入居希望者Ｂが現れたときに、入居希望者Ａと入居希望者Ｂとのマッチングを行うようにしてもよいし、入居希望者Ａと入居希望者Ｂとのマッチングを先に行い、入居希望者Ａと入居希望者Ｂとを同居する候補者として特定した後で、それらの候補者が同居するシェアハウスまたはシェアルームを特定するようにしてもよい。ここで、入居希望者と物件（すなわち、シェアハウスまたはシェアルーム）とのマッチングは、公知の任意の手法を用いて行うことが可能である。例えば、入居希望者は、物件に希望する条件（例えば、家賃、間取り、築年数、最寄駅、最寄駅からの徒歩時間など）を会社（例えば、不動産管理会社）に提示することにより、その会社は、その条件の少なくとも一部を満たす物件を特定することが可能である。これにより、入居希望者と物件とのマッチングを行うことが可能である。
【００２５】
図１は、シェアハウスまたはシェアルームに同居する候補者を特定するための新しいビジネスモデルの一例を説明するための図である。以下、図１に示される各ステップを説明する。
【００２６】
ステップＳ１０１：入居希望者Ａは、シェアハウスまたはシェアルームでの同居に関する条件を会社（例えば、不動産管理会社）に提示する。入居希望者Ａによって提示された条件は、例えば、入居希望者Ａと同居する候補者を特定するために利用される。
【００２７】
なお、ステップＳ１０１において、入居希望者Ａがシェアハウスまたはシェアルームでの同居に関する条件を会社に提示する態様は問わない。入居希望者Ａは、任意の態様でシェアハウスまたはシェアルームでの同居に関する条件を会社に提示することが可能である。例えば、入居希望者Ａは、会社によって提供されるアプリケーションがインストールされているユーザ装置（例えば、スマートフォン）を用いて、シェアハウスまたはシェアルームでの同居に関する条件をユーザ装置に入力し、その入力された条件をネットワークを介して会社のシステムに送信することによって、シェアハウスまたはシェアルームでの同居に関する条件を会社に提示するようにしてもよい。あるいは、入居希望者Ａは、ユーザ装置（例えば、スマートフォン）を用いて、会社のシステムにログインした後に所定の手順に従ってユーザ装置を操作することによって、シェアハウスまたはシェアルームでの同居に関する条件を会社に提示するようにしてもよい。あるいは、シェアハウスまたはシェアルームでの同居に関する条件を記載した書面を入居希望者Ａが会社の窓口に提出する（または、会社宛てに郵送する）ことによって、シェアハウスまたはシェアルームでの同居に関する条件を会社に提示するようにしてもよい。
【００２８】
ステップＳ１０２：入居希望者Ｂは、シェアハウスまたはシェアルームでの同居に関する条件を会社（例えば、不動産管理会社）に提示する。入居希望者Ｂによって提示された条件は、例えば、入居希望者Ｂと同居する候補者を特定するために利用される。
【００２９】
なお、ステップＳ１０２において、入居希望者Ｂがシェアハウスまたはシェアルームでの同居に関する条件を会社に提示する態様は問わない。入居希望者Ｂは、任意の態様でシェアハウスまたはシェアルームでの同居に関する条件を会社に提示することが可能である。例えば、入居希望者Ｂは、会社によって提供されるアプリケーションがインストールされているユーザ装置（例えば、スマートフォン）を用いて、シェアハウスまたはシェアルームでの同居に関する条件をユーザ装置に入力し、その入力された条件をネットワークを介して会社のシステムに送信することによって、シェアハウスまたはシェアルームでの同居に関する条件を会社に提示するようにしてもよい。あるいは、入居希望者Ｂは、ユーザ装置（例えば、スマートフォン）を用いて、会社のシステムにログインした後に所定の手順に従ってユーザ装置を操作することによって、シェアハウスまたはシェアルームでの同居に関する条件を会社に提示するようにしてもよい。あるいは、シェアハウスまたはシェアルームでの同居に関する条件を記載した書面を入居希望者Ｂが会社の窓口に提出する（または、会社宛てに郵送する）ことによって、シェアハウスまたはシェアルームでの同居に関する条件を会社に提示するようにしてもよい。
【００３０】
なお、ステップＳ１０２が行われるタイミングは、ステップＳ１０１の前であってもよいし、ステップＳ１０１と同時であってもよいし、ステップＳ１０１の後であってもよい。
【００３１】
会社は、入居希望者Ａによって提示された条件と入居希望者Ｂによって提示された条件とを受け取り、これらの条件に基づいて、入居希望者Ａと入居希望者Ｂとをシェアハウスまたはシェアルームに同居する候補者として特定するか否かを決定する。入居希望者Ａによって提示された条件の少なくとも一部が満たされ、かつ、入居希望者Ｂによって提示された条件の少なくとも一部が満たされた場合には、会社は、入居希望者Ａと入居希望者Ｂとをシェアハウスまたはシェアルームに同居する候補者として特定する。それ以外の場合には、会社は、入居希望者Ａと入居希望者Ｂとをシェアハウスまたはシェアルームに同居する候補者として特定しない。
【００３２】
ステップＳ１０３：会社は、同居する候補者が特定されたことを入居希望者Ａおよび入居希望者Ｂのそれぞれに通知する。
【００３３】
なお、ステップＳ１０３において、会社が、同居する候補者が特定されたことを各入居希望者に通知する態様は問わない。会社は、同居する候補者が特定されたことを任意の態様で各入居希望者に通知することが可能である。例えば、会社は、各入居希望者が使用しているユーザ装置（例えば、スマートフォン）に電子メールを送信することによって、同居する候補者が特定されたことを各入居希望者に通知するようにしてもよい。あるいは、会社は、同居する候補者が特定されたことを会社のホームページに掲示することによって、同居する候補者が特定されたことを各入居希望者に通知するようにしてもよい。あるいは、会社は、同居する候補者が特定されたことを記載した書面を各入居希望者に手渡す（または、各入居希望者宛てに郵送する）ことによって、同居する候補者が特定されたことを各入居希望者に通知するようにしてもよい。
【００３４】
さらに、同居する候補者が特定された時点で候補者が同居するシェアハウスまたはシェアルームが既に特定されている場合には、会社が、同居する候補者が特定されたことと共に、候補者が同居するシェアハウスまたはシェアルームを特定するための情報（シェアハウスまたはシェアルームの住所、電話番号、最寄り駅、地図など）を各入居希望者に通知することが好ましい。
【００３５】
なお、図１に示される実施形態では、シェアハウスまたはシェアルームでの同居に関する条件を提示する入居希望者の数が２人である場合を説明したが、本発明は、これに限定されない。本発明は、シェアハウスまたはシェアルームでの同居に関する条件を提示する入居希望者の数が３以上の任意の数である場合でも適用することが可能である。
【００３６】
例えば、シェアハウスまたはシェアルームでの同居に関する条件を提示する入居希望者の数が３人（入居希望者Ａ、入居希望者Ｂ、入居希望者Ｃ）である場合には、会社は、入居希望者Ａによって提示された条件と入居希望者Ｂによって提示された条件と入居希望者Ｃによって提示された条件とを受け取り、これらの条件に基づいて、入居希望者Ａと入居希望者Ｂと入居希望者Ｃとをシェアハウスまたはシェアルームに同居する候補者として特定するか否かを決定するようにしてもよい。入居希望者Ａによって提示された条件の少なくとも一部が満たされ、かつ、入居希望者Ｂによって提示された条件の少なくとも一部が満たされ、かつ、入居希望者Ｃによって提示された条件の少なくとも一部が満たされた場合に、会社は、入居希望者Ａと入居希望者Ｂと入居希望者Ｃとをシェアハウスまたはシェアルームに同居する候補者として特定し、それ以外の場合に、会社は、入居希望者Ａと入居希望者Ｂと入居希望者Ｃとをシェアハウスまたはシェアルームに同居する候補者として特定しないようにしてもよい。
【００３７】
あるいは、入居希望者Ａと入居希望者Ｂとがシェアハウスまたはシェアルームに同居する候補者として既に特定されている場合（入居希望者Ａと入居希望者Ｂとがシェアハウスまたはシェアルームでの同居を既に開始している場合を含む）において、入居希望者Ｃによって提示された条件の少なくとも一部が満たされ、かつ、入居希望者Ａによって提示された条件または入居希望者Ｂによって提示された条件のいずれかの少なくとも一部が満たされた場合に、会社は、入居希望者Ａと入居希望者Ｂと入居希望者Ｃとをシェアハウスまたはシェアルームに同居する候補者として特定し、それ以外の場合に、会社は、入居希望者Ａと入居希望者Ｂと入居希望者Ｃとをシェアハウスまたはシェアルームに同居する候補者として特定しないようにしてもよい。
【００３８】
あるいは、入居希望者Ｂによって提示された条件の少なくとも一部が満たされ、かつ、入居希望者Ａによって提示された２つ以上の条件のうちの特定の条件の少なくとも一部が満たされたとして、入居希望者Ａと入居希望者Ｂとがシェアハウスまたはシェアルームに同居する候補者として既に特定されている場合（入居希望者Ａと入居希望者Ｂとがシェアハウスまたはシェアルームでの同居を既に開始している場合を含む）において、入居希望者Ｃによって提示された条件の少なくとも一部が満たされ、かつ、入居希望者Ａによって提示された２つ以上の条件のうちのその特定の条件以外の条件の少なくとも一部が満たされた場合に、会社は、入居希望者Ａと入居希望者Ｂと入居希望者Ｃとをシェアハウスまたはシェアルームに同居する候補者として特定し、それ以外の場合に、会社は、入居希望者Ａと入居希望者Ｂと入居希望者Ｃとをシェアハウスまたはシェアルームに同居する候補者として特定しないようにしてもよい。
【００３９】
２．新しいビジネスモデルを実現するためのコンピュータシステムの構成
図２は、新しいビジネスモデルを実現するためのコンピュータシステム２００の構成の一例を示す。
【００４０】
コンピュータシステム２００は、インターネット２１０を介して、少なくとも１つのユーザ装置２２０と接続されることが可能なように構成されている。
【００４１】
少なくとも１つのユーザ装置２２０のそれぞれは、インターネット２１０を介してコンピュータシステム２００と通信することが可能な任意の装置であり得る。例えば、ユーザ装置２２０は、スマートフォンであってもよいし、タブレット型の端末であってもよいし、パーソナルコンピュータ（ＰＣ）であってもよい。
【００４２】
コンピュータシステム２００は、インターフェース部２０１と、メモリ部２０２と、プロセッサ部２０３とを含む。
【００４３】
インターフェース部２０１は、少なくとも１つのユーザ装置２２０との通信を制御する。
【００４４】
メモリ部２０２には、処理の実行に必要とされるプログラムやそのプログラムの実行に必要とされるデータ等が格納されている。例えば、メモリ部２０２には、図４に示される処理のフローを実現するためのプログラムが格納されている。ここで、プログラムをどのようにしてメモリ部２０２に格納するかは問わない。例えば、プログラムは、メモリ部２０２にプリインストールされていてもよい。あるいは、プログラムは、インターネット２１０などのネットワークを経由してダウンロードされることによってメモリ部２０２にインストールされるようにしてもよいし、光ディスクやＵＳＢ等の記憶媒体を介してメモリ部２０２にインストールされるようにしてもよい。
【００４５】
プロセッサ部２０３は、コンピュータシステム２００全体の動作を制御する。プロセッサ部２０３は、メモリ部２０２に格納されているプログラムを読み出し、そのプログラムを実行する。これにより、コンピュータシステム２００を所望のステップを実行する装置として機能させることが可能である。
【００４６】
コンピュータシステム２００は、データベース部２０４に接続されている。
【００４７】
図３Ａは、データベース部２０４に格納されているデータの構成の一例を示す。
【００４８】
図３Ａに示される例では、第１の入居希望者（例えば、日本人である入居希望者Ａ）からの同居に関する条件３１０は、第１の入居希望者が同居の相手方から受けることを希望する「希望サービス」と、第１の入居希望者が同居の相手方に提供することが可能な「提供サービス」とを含む。この例では、「希望サービス」は、第１の入居希望者が「英語」または「中国語」を習得することを同居の相手方に支援してもらうというサービスである。また、この例では、「提供サービス」は、同居の相手方が「日本の歴史」を習得することを第１の入居希望者が支援するというサービスである。
【００４９】
ここで、「日本人」は、シェアハウスまたはシェアルームが所在する国の国籍を有する者の一例であるが、これに限定されない。第１の入居希望者は、日本国以外の国籍を有する者であってもよい。さらに、「英語」および「中国語」は、第１の入居希望者が習得することを希望する主題（希望主題）の一例であるが、これに限定されない。第１の入居希望者は、「英語」および「中国語」以外の主題を習得することを希望することも可能である。また、「英語」および「中国語」は、シェアハウスまたはシェアルームが所在する国以外の国の言語の一例であるが、これに限定されない。第１の入居希望者は、「英語」および「中国語」以外の言語を指定することも可能である。さらに、「日本の歴史」は、同居の相手方が習得することの支援を第１の入居希望者が提供することが可能な主題（提供主題）の一例であるが、これに限定されない。第１の入居希望者は、同居の相手方が「日本の歴史」以外の主題を習得することの支援を提供することも可能である。また、「日本の歴史」は、シェアハウスまたはシェアルームが所在する国の文化の一例であるが、これに限定されない。第１の入居希望者は、「日本の歴史」以外の文化を指定することも可能である。
【００５０】
さらに、図３Ａに示される例では、第２の入居希望者（例えば、米国人である入居希望者Ｂ）からの同居に関する条件３２０は、第２の入居希望者が同居の相手方から受けることを希望する「希望サービス」と、第２の入居希望者が同居の相手方に提供することが可能な「提供サービス」とを含む。この例では、「希望サービス」は、第２の入居希望者が「日本の歴史」を習得することを同居の相手方に支援してもらうというサービスである。また、この例では、「提供サービス」は、同居の相手方が「英語」を習得することを第２の入居希望者が支援するというサービスである。
【００５１】
ここで、「米国人」は、シェアハウスまたはシェアルームが所在する国以外の国の国籍を有する者の一例であるが、これに限定されない。第２の入居希望者は、米国以外の国籍を有する者であってもよい。さらに、「日本の歴史」は、第２の入居希望者が習得することを希望する主題（希望主題）の一例であるが、これに限定されない。第２の入居希望者は、「日本の歴史」以外の主題を習得することを希望することも可能である。また、「日本の歴史」は、シェアハウスまたはシェアルームが所在する国の文化の一例であるが、これに限定されない。第２の入居希望者は、「日本の歴史」以外の文化を指定することも可能である。さらに、「英語」は、同居の相手方が習得することの支援を第２の入居希望者が提供することが可能な主題（提供主題）の一例であるが、これに限定されない。第２の入居希望者は、同居の相手方が「英語」以外の主題を習得することの支援を提供することも可能である。また、「英語」は、シェアハウスまたはシェアルームが所在する国以外の国の言語の一例であるが、これに限定されない。第２の入居希望者は、「英語」以外の言語を指定することも可能である。
【００５２】
図３Ｂは、入居希望者からの同居に関する条件に含まれる「希望サービス」と「提供サービス」との比較を説明するための図である。
【００５３】
図３Ｂに示されるように、第１の入居希望者からの同居に関する条件３１０に含まれる「希望サービス」と第２の入居希望者からの同居に関する条件３２０に含まれる「提供サービス」とが比較される（図３Ｂでは、この比較が矢印３３０によって示されている）。このような比較は、例えば、後述する図４のステップＳ４０３において行われる。また、第２の入居希望者からの同居に関する条件３２０に含まれる「希望サービス」と第１の入居希望者からの同居に関する条件３１０に含まれる「提供サービス」とが比較される（図３Ｂでは、この比較が矢印３４０によって示されている）。このような比較は、後述する図４のステップＳ４０４において行われる。
【００５４】
なお、図２に示されるインターフェース部２０１、メモリ部２０２、プロセッサ部２０３のそれぞれの構成要素は、単一のハードウェア部品で構成されていてもよいし、複数のハードウェア部品で構成されていてもよい。コンピュータシステム２００の構成は、特定のハードウェア構成には限定されない。
【００５５】
また、図２に示される実施形態では、コンピュータシステム２００と少なくとも１つのユーザ装置２２０とは、インターネット２１０を介して接続されることが可能であるとしたが、本発明はこれに限定されない。インターネット２１０の代わりに任意のタイプのネットワークを用いることも可能である。なお、インターネット２１０およびその代わりの任意のネットワークを介することなく、少なくとも１つのユーザ装置２２０をコンピュータシステム２００に電気的に結合した構成もまた本発明の範囲内である。さらに、ユーザ装置２２０の機能およびコンピュータシステム２００の機能の両方を一体的に組み込んだシステム（すなわち、スタンドアロン型のシステム）をコンピュータシステム２００として構築してもよい。このようなスタンドアロン型のコンピュータシステム２００もまた本発明の範囲内である。
【００５６】
また、図２に示される実施形態では、データベース部２０４は、コンピュータシステム２００の外部に設けられているが、本発明はこれに限定されない。データベース部２０４をコンピュータシステム２００の内部に設けることも可能である。データベース部２０４の構成は、特定のハードウェア構成には限定されない。例えば、データベース部２０４は、単一のハードウェア部品で構成されてもよいし、複数のハードウェア部品で構成されてもよい。例えば、データベース部２０４は、コンピュータシステム２００の単一の外付けハードディスク装置として構成されてもよいし、ネットワークを介して接続されるクラウド上のストレージとして構成されてもよい。
【００５７】
３．コンピュータシステムの処理
図４は、コンピュータシステム２００において実行される処理のフローの一例を示す。この処理は、プログラムの形式で表現されている。このプログラムは、コンピュータシステム２００内のメモリ部２０２に格納されている。このプログラムは、コンピュータシステム２００内のプロセッサ部２０３によって実行される。
【００５８】
以下、図４に示される各ステップを説明する。
【００５９】
ステップＳ４０１：プロセッサ部２０３は、第１の入居希望者（例えば、入居希望者Ａ）からの同居に関する条件（第１の条件）を受信する。第１の条件は、例えば、ユーザ装置２２０を用いて第１の入居希望者によって入力され、ユーザ装置２２０によって送信され、インターネット２１０を介してコンピュータシステム２００によって受信される。コンピュータシステム２００によって受信された第１の条件は、データベース部２０４に格納される。
【００６０】
ステップＳ４０２：プロセッサ部２０３は、第２の入居希望者（例えば、入居希望者Ｂ）からの同居に関する条件（第２の条件）を受信する。第２の条件は、例えば、ユーザ装置２２０を用いて第２の入居希望者によって入力され、ユーザ装置２２０によって送信され、インターネット２１０を介してコンピュータシステム２００によって受信される。コンピュータシステム２００によって受信された第２の条件は、データベース部２０４に格納される。
【００６１】
ステップＳ４０３：プロセッサ部２０３は、第１の条件に含まれる「希望サービス」と、第２の条件に含まれる「提供サービス」とを比較する。両者の比較の結果、両者が少なくとも部分的に一致すると判定された場合には、処理は、ステップＳ４０４に進む。それ以外の場合には、処理は、ステップＳ４０６に進む。図３Ｂに示される例では、第１の入居希望者からの同居に関する条件３１０に含まれる「希望サービス」と、第２の入居希望者からの同居に関する条件３２０に含まれる「提供サービス」とが比較される（図３Ｂに示される矢印３３０を参照）。具体的には、第１の入居希望者からの同居に関する条件３１０に含まれる「希望サービス」における「英語」または「中国語」のいずれか一方が、第２の入居希望者からの同居に関する条件３２０に含まれる「提供サービス」の中に含まれているか否かが判定される。この例では、「希望サービス」における「英語」が「提供サービス」の中に含まれているため、「希望サービス」と「提供サービス」とは少なくとも部分的に一致すると判定される。従って、処理は、ステップＳ４０４に進む。
【００６２】
ステップＳ４０４：プロセッサ部２０３は、第２の条件に含まれる「希望サービス」と、第１の条件に含まれる「提供サービス」とを比較する。両者の比較の結果、両者が少なくとも部分的に一致すると判定された場合には、処理は、ステップＳ４０５に進む。それ以外の場合には、処理は、ステップＳ４０６に進む。図３Ｂに示される例では、第２の入居希望者からの同居に関する条件３２０に含まれる「希望サービス」と、第１の入居希望者からの同居に関する条件３１０に含まれる「提供サービス」とが比較される（図３Ｂに示される矢印３４０を参照）。具体的には、第２の入居希望者からの同居に関する条件３２０に含まれる「希望サービス」における「日本の歴史」が、第１の入居希望者からの同居に関する条件３１０に含まれる「提供サービス」の中に含まれているか否かが判定される。この例では、「希望サービス」における「日本の歴史」が「提供サービス」の中に含まれているため、「希望サービス」と「提供サービス」とは少なくとも部分的に一致すると判定される。従って、処理は、ステップＳ４０５に進む。
【００６３】
ステップＳ４０５：プロセッサ部２０３は、第１の入居希望者と第２の入居希望者とをシェアハウスまたはシェアルームに同居する候補者として特定する。このように、第１の入居希望者と第２の入居希望者とをマッチングすることにより、第１の入居希望者および第２の入居希望者は、自分の希望をかなえることを支援してくれる相手方と同居することが可能になる。
【００６４】
ステップＳ４０６：プロセッサ部２０３は、第１の入居希望者と第２の入居希望者とをシェアハウスまたはシェアルームに同居する候補者として特定しない。
【００６５】
なお、上述した図３Ｂに示される例では、「希望サービス」における「英語」または「中国語」のいずれか一方が「提供サービス」に含まれているか否かが判定される例を説明したが、本発明はこれに限定されない。例えば、第１の入居希望者が同居の相手方から受けることを希望する「希望サービス」が、第１の入居希望者が「英語」および「中国語」の両方を習得することを同居の相手方に支援してもらうというサービスである場合には、第１の入居希望者からの同居に関する条件３１０に含まれる「希望サービス」における「英語」および「中国語」の両方が、第２の入居希望者からの同居に関する条件３２０に含まれる「提供サービス」の中に含まれているか否かが判定される。これにより、「英語」および「中国語」の両方を習得したいという第１の入居希望者の希望をかなえることが可能である。
【００６６】
なお、図４において、ステップＳ４０４は省略されることが可能である（すなわち、図３Ｂの矢印３４０によって示される比較は省略されることが可能である）。ステップＳ４０４が省略される場合には、ステップＳ４０３において、両者の比較の結果、両者が少なくとも部分的に一致していると判定された場合には、処理は、ステップＳ４０５に進む。それ以外の場合には、処理は、ステップＳ４０６に進む。これにより、ステップＳ４０４が存在する場合に比較して緩和された条件で、第１の入居希望者と第２の入居希望者とを同居の候補者として特定することが可能である。
【００６７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【００６８】
本発明は、シェアハウスまたはシェアルームに同居する同居人を特定するためのコンピュータシステム、そのコンピュータシステムにおいて実行される方法およびプログラム等を提供するものとして有用である。
【符号の説明】
【００６９】
２００    コンピュータシステム
２０１    インターフェース部
２０２    メモリ部
２０３    プロセッサ部
２０４    データベース部
２１０    インターネット
２２０    ユーザ装置
【図１】
2018013835.tif 000003
【図２】
2018013835.tif 000004
【図３Ａ】
2018013835.tif 000005
【図３Ｂ】
2018013835.tif 000006
【図４】
2018013835.tif 000007